(57)【要約】      （修正有）【課題】水槽外に設けたＬＥＤ光源と水槽内に設けた照明装置や演出装置との光伝送手段を最短にする光伝送装置を提供する。【解決手段】Ｔは一般的に市販されている観賞用水槽であり、水槽Ｔには適量の水Ｗが入れられている。Ｔ１は水槽Ｔの内壁側であり、Ｔ２は水槽Ｔの外壁側であり、内壁側Ｔ１から外壁側Ｔ２の厚みを持つ水槽Ｔの壁材を使用している。Ｕ１はＬＥＤ光源であり、Ｕ２はＬＥＤ収納手段であり、Ｕ３はＬＥＤ光源Ｕ１を電子的に制御するＬＥＤ制御部であり、Ｕ４はＬＥＤ制御部Ｕ３に電力を提供する電源部である。着脱可能手段Ｂ１によって容器体Ｂは外壁側Ｔ２の任意の位置に着脱可能に装着される。Ｆは内壁側Ｔ１のＬＥＤ光源Ｕ１に対向する位置に着脱可能手段を介して装着する光伝送体であり、Ｆ１は光伝送体Ｆの一端すなわち内壁側Ｔ１に接触する方に設けた着脱可能手段であり、Ｆ２は光伝送体Ｆの他端に設けた光ファイバーである。【選択図】図２
0003147114.tif 000002
【実用新案登録請求の範囲】
【請求項１】
光源にＬＥＤを用いた観賞用水槽の水中光演出装置において、ＬＥＤからの光を光ファイバーを介して水中に照射する装置であり、前記水槽の外壁側の任意位置にＬＥＤとＬＥＤ制御部と電源部とで構成され着脱可能手段を備えたＬＥＤユニットを着脱可能に設け、前記ＬＥＤに対向する前記水槽の内壁側には一端に着脱可能手段を設け他端に少なくとも一つの光ファイバーを設けた光伝送体を少なくとも一つ設けたことを特徴とする、ユニット化したＬＥＤを用いた光伝送装置。
【請求項２】
前記ＬＥＤユニットは任意の容器体に収容され、前記容器体の光放出部には光学的制御手段を設けたことを特徴とする、請求項１に記載のユニット化したＬＥＤを用いた光伝送装置。
【請求項３】
前記ＬＥＤユニットまたは前記ＬＥＤユニット容器体の少なくとも一部を防水処理したことを特徴とする、請求項１または請求項２に記載のユニット化したＬＥＤを用いた光伝送装置。
【考案の詳細な説明】
【技術分野】
【０００１】  本考案は、光源にＬＥＤを用いた観賞用水槽の水中光演出装置において、ＬＥＤからの光を光ファイバーを介して水中に照射する装置であり、前記水槽の外壁側の任意位置にＬＥＤとＬＥＤ制御部と電源部とで構成され着脱可能手段を備えたＬＥＤユニットを着脱可能に設け、前記ＬＥＤに対向する前記水槽の内壁側には一端に着脱可能手段を設け他端に少なくとも一つの光ファイバーを設けた光伝送体を少なくとも一つ設けたことを特徴とする、ユニット化したＬＥＤを用いた光伝送装置に関するものである。
【背景技術】
【０００２】  従来から、ガラス製または透明プラスチック製で方形や円柱形や球形に形成させた水槽に水中生物（例えば、淡水魚としては、金魚や錦鯉やメダカ、また海水魚としては、熱帯魚、）や水中植物（例えば、水草、）や等を入れ、鑑賞用に供されているが、近年では光ファイバーを用いて水槽内の照明や演出したりするための照明装置や演出装置としての開発例が見られるようになってきた。
ところが、従来の光ファイバーを用いた水槽内の照明装置や演出装置のほとんどは、光源を水槽外に設け照明装置や演出装置を水槽内に設けているので光源と照明装置や演出装置を接続する光ファイバーは、水槽外から水槽内に向けて配線される場合が多いので見苦しいという報告がなされるようになってきた。また光ファイバーと光源とが固着されているので、水槽内の照明装置や演出装置をメンテナンスする場合には、装置全体を移動させる必要がありメンテナンス性に問題があるという指摘を受けていた。【０００３】  そこで、近年になると、上述した問題点を改善しようという開発例が見られるようになってきた。
例えば、水槽内のランプ照明において起こっていた、漏電、感電、ランプ破損の危険性やランプ交換、発熱による水温の上昇防止といった不都合の解決を目的とし、その構成が、水槽外においた光源より吸盤またはマグネットを有する光ファイバコネクターに光を導き、水槽内にも同様なコネクターを対向させて光を出射端に導き、水槽内の照明を行う事を特徴とする水槽用光ファイバ照明装置の開発例が知られている。（実開平７−４１８５０号公報を参照する）
【考案の開示】
【考案が解決しようとする課題】
【０００４】  ところが、実開平７−４１８５０号公報の水槽用光ファイバ照明装置の開発例では、水槽外においた光源より吸盤またはマグネットを有する光ファイバコネクターに光を導き、水槽内にも同様なコネクターを対向させて光を出射端に導き、水槽内の照明を行う事を特徴とするが、光源と光ファイバコネクターが離れているので第１光ファイバライトガイドを用いる必要があり、せっかくの観賞用水槽なのに第１光ファイバライトガイドが見苦しいという指摘を受けていた。【０００５】  本考案は、従来技術の問題点や上記の課題を解決するために成されたものであり、水槽外に設けた単一または複数以上の光源と水槽内に設けた単一または複数以上の照明装置や演出装置との光伝送手段を最短にするか、見苦しくないような光伝送装置の提供を目的とする。
【課題を解決するための手段】
【０００６】  課題を解決するための第一の手段（請求項１）は、光源にＬＥＤを用いた観賞用水槽の水中光演出装置において、ＬＥＤからの光を光ファイバーを介して水中に照射する装置であり、前記水槽の外壁側の任意位置にＬＥＤとＬＥＤ制御部と電源部とで構成され着脱可能手段を備えたＬＥＤユニットを着脱可能に設け、前記ＬＥＤに対向する前記水槽の内壁側には一端に着脱可能手段を設け他端に少なくとも一つの光ファイバーを設けた光伝送体を少なくとも一つ設けたことを特徴とする、ユニット化したＬＥＤを用いた光伝送装置を提供することである。【０００７】  課題を解決するための第一の手段に示した水槽に関しては、一般的には透明または半透明または着色（光が透過される範囲内で）されたガラス製あるいは合成樹脂製で一端部に開口部を持つ立方体（変形体も含む）や円柱体（変形体も含む）や略球体（変形体も含む）になるように形成される。
課題を解決するための第一の手段に示したＬＥＤ（発光ダイオード）に関しては、ＬＥＤは指向性があり小型で低電力で長寿命という特徴が一般的に知られているので、本考案は水槽の外壁面に比較的密着させて用いることを特徴とするため、ＬＥＤが小型で発熱や繁雑な交換を伴わないことに着目した。前記ＬＥＤは一般的に市販されている種々のタイプの中から任意のものを選択して使用すれば良い。また、前記ＬＥＤは径大の１個を用いても、あるいは小さな径の集合体でも良い。また、前記ＬＥＤは裸の状態で前記ユニットに装着してもよいし、ＬＥＤ収納手段を用いてＬＥＤ収納手段の中に１個または複数または多数のＬＥＤを任意に組合わせて収納して用いてもよい。また、前記ＬＥＤ収納手段には放熱手段を付加させてもよい。また、前記ＬＥＤの発光色については、白色、赤色、オレンジ色、黄色、緑色、青色、紫色、その他各種の色彩のカラー球を用いることもできる。また、同タイプあるいは同色のＬＥＤではなく、２種以上のＬＥＤを同一のＬＥＤ収納手段内に設置しても良い。また、前記ＬＥＤは発光ダイオード単体で前記ＬＥＤ収納手段に設置して前記ＬＥＤ収納手段の外部に制御手段を設けて用いる場合と、前記ＬＥＤ収納手段に少なくとも一個の発光ダイオードと制御手段を収納する場合とがある。
課題を解決するための第一の手段に示した光ファイバーに関しては、一般的にはガラス製あるいは合成樹脂製で繊維状になるよう製造され、中心部に屈折率の高いコアと外側の屈折率の低いクラッドからなる二重構造をなし、直径０．２５〜２．０ｍｍ程度に製作されたものである。本考案で用いる光ファイバーの直径や使用本数は所望する発光量、照明面積に応じて適宜選択すれば良い。【０００８】  課題を解決するための第一の手段に示したＬＥＤ制御部に関しては、前記ＬＥＤの発光量を制御するマイコンチップまたはＩＣチップまたはこれらの制御を行うための電子部品を含む制御回路を搭載したり、発光量の増減及び点滅操作を実行するマイコンチップまたはＩＣチップまたはこれらの制御を行うための電子部品を含む制御回路を搭載したり、この制御回路は、機械的又は電気的のいずれにおいて行ってもよく、この技術分野において周知の技術を使用することができる。また、手動により発光色又は発光量の変化を切り替えたり、手動スイッチにより発光制御回路を変えたり、前記マイコンを制御してソフトウエアを変えることにより発光量の変化パターンを切替えたりしてもよい。また、点滅制御、二色制御、三色制御などの制御も可能である。また配列したＬＥＤランプの一部分が規則的・不規則的に点滅もしくはだんだん照射光を弱めたり又は強めたりして、暗くしたり明るくしたりすることも可能である。
課題を解決するための第一の手段に示した電源部に関しては、家庭用交流電源を利用して所望の直流電圧を得るための電子部品を含む制御回路や素子を用いてもよいし、家庭用交流電源を利用して所望の直流電圧を得るための電子部品を含む制御回路や素子を用いた外部アダプターを用いてもよいし、電池や蓄電池（二次電池または充電式電池ともいう。またキャパシタなどもこの仲間である）を用いてもよいし、太陽電池または太陽電池と蓄電池との組み合わせでもよい。【０００９】  課題を解決するための第一の手段に示した光伝送体に関しては、前記ＬＥＤからの放射光は前記水槽の壁材を透過して光伝送体に受光され伝送されるようになっていれば透明ガラス体でも透明プラスチック体でも使用できる。前記光伝送体の形状に関しては、棒状体、軸体、線体、角柱体、円柱体、繊維状、などの中から選択して使用できる。前記光伝送体の寸法や数量に関しては、前記ＬＥＤの寸法や形状や数量、前記水槽の形状や寸法、前記光ファイバーの長さや数量、前記照明装置の形状や寸法や数量、前記演出装置の形状や寸法や数量、などを考慮して決定すればよい。
課題を解決するための第一の手段に示した着脱可能手段に関しては、前記ＬＥＤユニットの場合では、前記水槽の外壁側の任意位置に前記ＬＥＤユニットを着脱可能に設ける手段であれば何を用いても構わないが、所望形状で所望寸法の磁石や、所望形状で所望寸法の吸盤や、所望形状で所望寸法の両面テープや、所望形状で所望寸法の粘着テープや、弱粘着または再剥離性の粘着剤または粘着材または接着剤または接着材や、再剥離性の粘着スプレーまたは接着スプレー、コーキング材料や、プラスチック粘土などの使用が好ましい。また、前記光伝送体の場合では、前記水槽の内壁側の任意位置に前記ＬＥＤユニットを着脱可能に設ける手段であれば何を用いても構わないが、所望形状で所望寸法の磁石や、所望形状で所望寸法の吸盤や、所望形状で所望寸法の両面テープや、所望形状で所望寸法の粘着テープや、弱粘着または再剥離性の粘着剤または粘着材または接着剤または接着材や、再剥離性の粘着スプレーまたは接着スプレー、コーキング材料や、プラスチック粘土などの使用が好ましい。【００１０】  課題を解決するための第一の手段に示したＬＥＤユニットに関しては、前記ＬＥＤと前記ＬＥＤ制御部と前記電源部とで構成され前記着脱可能手段を備えてユニット化する場合には、前記ＬＥＤと前記ＬＥＤ制御部と前記電源部を一体化して用いることが好ましい。一体化は、例えば、容器または筐体中に組み込んでユニット化する場合と、例えば、所望寸法の一つの基板に組み込んでユニット化する場合とがあるが、選択して用いればよい。前記ＬＥＤユニットには、前記ＬＥＤと前記ＬＥＤ制御部との間に前記ＬＥＤへ電力を供給したり絶ったりするためのスイッチが設けられていてもよいし、前記ＬＥＤと前記電源部との間に前記ＬＥＤへ電力を供給したり絶ったりするためのスイッチが設けられていてもよいし、前記ＬＥＤ制御部と前記電源部との間に前記ＬＥＤ制御部へ電力を供給したり絶ったりするためのスイッチが設けられていてもよい。【００１１】  課題を解決するための第二の手段（請求項２）は、前記ＬＥＤユニットは任意の容器体に収容され、前記容器体の光放出部には光学的制御手段を設けたことを特徴とする、課題を解決するための第一の手段に記載のユニット化したＬＥＤを用いた光伝送装置を提供することである。【００１２】  課題を解決するための第二の手段に示した容器体に関しては、寸法は任意であり、形状は、立方体でも球体でも円柱体でも任意にデザインされた立体でも構わないし、材質は木質系、プラスチック系、合成ゴム系、天然ゴム系、金属系、などの中から単独で用いるか組合せて用いればよい。【００１３】  課題を解決するための第二の手段に示した光学的制御手段に関しては、前記ＬＥＤと前記水槽の外壁面との間に前記ＬＥＤから放射された光を変化させる手段であればどんな手段を用いても構わない。例えば、前記光学的制御手段としては前記ＬＥＤと前記水槽の外壁面との間にカラーフィルターや偏光フィルターや散乱手段やレンズ手段などを手動または機械制御手段または電子制御手段などを利用しても良い。【００１４】  課題を解決するための第三の手段（請求項３）は、前記ＬＥＤユニットまたは前記ＬＥＤユニット容器体の少なくとも一��を防水処理したことを特徴とする、課題を解決するための第一の手段または課題を解決するための第二の手段に記載のユニット化したＬＥＤを用いた光伝送装置を提供することである。【００１５】  課題を解決するための第三の手段に示した防水処理に関しては、前記ＬＥＤユニットまたは前記ＬＥＤユニット容器体の少なくとも一部を耐防水性とすることができる。防水の仕方は、前記ＬＥＤの一部または全部を合成樹脂等で充填または被覆して水密化することにより防水構造とすることができる。また、前記ＬＥＤ制御部の一部または全部を合成樹脂等で充填または被覆して水密化することにより防水構造とすることができる。また、前記電源部の一部または全部を合成樹脂等で充填または被覆して水密化することにより防水構造とすることができる。前記電源部が電池または前記蓄電池の場合には、電池の交換のための蓋を設けてあるが必要に応じてこの蓋を開けて電池交換ができるが、この際、蓋の開閉部は水密化されている。
【考案の効果】
【００１６】  本考案のユニット化したＬＥＤを用いた光伝送装置を提供できることで、ＬＥＤ光源を前記水槽の外壁面に比較的密着させて用い、このＬＥＤ光源に対向する位置の前記水槽の内壁面に比較的密着させて用いるようになっているので、本考案はＬＥＤ光源からの放射光をダイレクトに最短距離で水中の光伝送体に伝送させることができ、このため前記水槽の周辺に光ファイバー配線または光伝送手段の配置の必要がなく、水槽内で使用する照明装置や演出装置の利用者には光ファイバー配線または光伝送手段の配置の見苦しさや不快感を与えない。【００１７】  また、本考案のユニット化したＬＥＤを用いた光伝送装置を提供できることで、ＬＥＤ光源を前記水槽の外壁面の任意の位置に着脱可能手段を介して密着させ、このＬＥＤ光源の対向する前記水槽の内壁面の位置に前記光伝送体を着脱可能手段を介して密着させることで、前記水槽の任意の位置にＬＥＤユニットまたはＬＥＤユニット容器体と前記光伝送体または前記光ファイバーまたは前記光ファイバー集合体を設置することができ、本考案の利用者は自由度の高い観賞用水槽の照明装置や水中光演出装置を利用することが可能になる。【００１８】  また、前記水槽の中ですなわち水中で使用する照明装置や水中光演出装置は定期的に清掃やメンテナンスの必要があるので、本考案のユニット化したＬＥＤを用いた光伝送装置を利用することで、ＬＥＤユニットまたはＬＥＤユニット容器体と前記光伝送体または前記光ファイバーまたは前記光ファイバー集合体は、必要とするときにはいつでも前記水槽の任意の位置に設置したり取り外したりすることができるので、本考案を利用した水中で使用する照明装置や水中光演出装置の本体や部品や消耗品の交換性が向上したり、清掃などのメンテナンス性が向上したりして、耐用年数を向上させることできる。【００１９】  また、本考案のユニット化したＬＥＤを用いた光伝送装置を提供できることで、ＬＥＤ光源を前記水槽の外壁面に比較的密着させて用いても、前記ＬＥＤの消費電力が小さく発熱が少ないので、前記水槽の水中に対する熱の影響力は最小限度に抑えることができる。【００２０】  また、本考案のユニット化したＬＥＤを用いた光伝送装置を提供できることで、前記ＬＥＤの消費電力が小さいので、前記電源部に電池や蓄電池を用いることが可能になり、この場合携帯性に優れた本考案を提供できる。【００２１】  また、本考案のユニット化したＬＥＤを用いた光伝送装置を提供できることで、前記ＬＥＤユニットまたは前記ＬＥＤユニット容器体の防水処理が容易になり、利用者の安全性が向上する。
【考案を実施するための最良の形態】
【００２２】  以下、本考案の実施の形態について、図１〜図３に基づいて説明する。
図１は本考案に基ずいた、ユニット化したＬＥＤを用いた光伝送装置の概念図である。図２は本考案の実施の形態例を示す側面図である。図３は本考案の実施の形態例を示す概略説明図である。【００２３】  図１〜図３より、Ｔは一般的に市販されている観賞用水槽であり、水槽Ｔには適量の水Ｗが入れられている。Ｔ１は水槽Ｔの内壁側であり、Ｔ２はＴ１は水槽Ｔの外壁側であり、Ｔ３は内壁側Ｔ１から外壁側Ｔ２の厚みを持つ水槽Ｔの壁材である。Ｕ１はＬＥＤ光源であり、Ｕ２は少なくとも一個のＬＥＤ光源Ｕ１を収納するＬＥＤ収納手段であり、Ｕ３はＬＥＤ光源Ｕ１を電子的に制御するＬＥＤ制御部であり、Ｕ４はＬＥＤ制御部Ｕ３に電力を提供する電源部であり家庭用コンセントに接続される。ＢはＬＥＤ光源Ｕ１とＬＥＤ収納手段Ｕ２とＬＥＤ制御部Ｕ３と電源部Ｕ４を収納する容器体であり、Ｂ１は容器体ＢのＬＥＤ光源Ｕ１の周辺に設けられた着脱可能手段であり着脱可能手段Ｂ１によって容器体Ｂは外壁側Ｔ２の任意の位置に着脱可能に係着され、Ｂ２は容器体ＢのＬＥＤ光源Ｕ１の周辺に設けられＬＥＤ光源Ｕ１から放射される光を容器体Ｂの外部に放出する光放出部であり、Ｂ３は容器体ＢのＬＥＤ光源Ｕ１の放射角度内に設けられＬＥＤ光源Ｕ１と光放出部Ｂ２の間に設けられる光学的制御手段である。Ｆは内壁側Ｔ１のＬＥＤ光源Ｕ１に対向する位置に着脱可能手段を介して係着する少なくとも一つの光伝送体であり、Ｆ１は光伝送体Ｆの一端すなわち内壁側Ｔ１に接触する方に設けた着脱可能手段であり、Ｆ２は光伝送体Ｆの他端すなわち着脱可能手段Ｆ１に対向する方に設けた少なくとも一つの光ファイバーである。ＬはＬＥＤ光源Ｕ１からの放射光であり、図３では放射光Ｌが光学的制御手段Ｂ３を通過し光放出部Ｂ２を通過し壁材Ｔ３を透過し光伝送体Ｆの一端から入光し他端に向かって進行している状態を示している。
【実施例１】
【００２４】  図１の実施の形態例では、水槽Ｔの内壁側Ｔ１と外壁側Ｔ２において、本考案のユニット化したＬＥＤを用いた光伝送装置のユニット化したＬＥＤの部分である容器体Ｂ（ＬＥＤ光源とＬＥＤ収納手段とＬＥＤ制御部と電源部を収納してある）と本考案のユニット化したＬＥＤを用いた光伝送装置の光伝送装置の部分である光伝送体Ｆと光ファイバーＦ２が互いに着脱可能な関係にありながら一対になっている関係を示している。すなわち容器体Ｂに設けた着脱可能手段と光伝送体Ｆに設けた着脱可能手段とによって、容器体Ｂは水槽Ｔの外壁側Ｔ２上の任意の位置に着脱可能に係着することができ、光伝送体Ｆは水槽Ｔの内壁側Ｔ１上の任意の位置に着脱可能に係着することが可能となることを示している。
【実施例２】
【００２５】  図２の実施の形態例では、容器体Ｂは本考案のユニット化したＬＥＤを用いた光伝送装置のユニット化した部分を収納してあるが、ＬＥＤ光源Ｕ１とＬＥＤ収納手段Ｕ２との関係ではＬＥＤ収納手段Ｕ２を使用しなくともＬＥＤ光源Ｕ１を裸の状態でも使用可能であることを示しており、ＬＥＤ光源Ｕ１またはＬＥＤ収納手段Ｕ２とＬＥＤ制御部Ｕ３及び電源部Ｕ４との関係ではＬＥＤ制御部Ｕ３を使用しなくともＬＥＤ光源Ｕ１またはＬＥＤ収納手段Ｕ２と電源部Ｕ４とを接続するだけでも本考案が機能し、また本考案の効果に影響を与えないことを示している。また、図３で示した光学的制御手段Ｂ３を使用しなくとも本考案が機能し、また本考案の効果に影響を与えないことを示している。また、容器体Ｂの水槽Ｔの外壁側Ｔ２に接する部分の材料を透明な材料（例えば、透明ガラス板や透明プラスチック板など）で形成させることで図３で示した光放出部Ｂ２を形成しなくとも本考案が機能し、また本考案の効果に影響を与えないことを示している。
【実施例３】
【００２６】  図３の実施の形態例では、光伝送体Ｆと光ファイバーとの関係において、光伝送体Ｆの任意の部位に、少なくとも一つの、切り込みを設けたり切り欠きを設けたり折り曲げ形成したり切削部分を設けたり研磨部分を設けたりすることで、光ファイバーを用いなくとも光伝送体Ｆだけを利用して、水中照明装置として使用できることが可能であり、また水中演出装置として使用できることが可能であることを示している。【００３０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３１】  本考案のユニット化したＬＥＤを用いた光伝送装置は、水槽以外への、例えばショーウインドーや商品陳列台への照明装置や演出装置としての応用が可能であることによって、産業上の利用可能性が優れている。
【図面の簡単な説明】
【００３２】
【図１】本考案のユニット化したＬＥＤを用いた光伝送装置の概念図。
【図２】本考案の実施の形態例を示す側面図である。
【図３】本考案の実施の形態例を示す概略説明図である。
【符号の説明】
【００３３】  Ｔ：水槽    Ｗ：水    Ｔ１：内壁側    Ｔ２：外壁側    Ｔ３：壁材
Ｕ１：ＬＥＤ光源    Ｕ２：ＬＥＤ収納手段    Ｕ３：ＬＥＤ制御部
Ｕ４：電源部    Ｂ：容器体    Ｂ１：着脱可能手段    Ｂ２：光放出部
Ｂ３：光学的制御手段    Ｆ：光伝送体    Ｆ１：着脱可能手段
Ｆ２：光ファイバー    Ｌ：放射光
【図１】
0003147114.tif 000003
【図２】
0003147114.tif 000004
【図３】
0003147114.tif 000005